(57)【要約】【課題】  一般のノートパソコンなどでは、ハードウェア的な大きさの制約などの理由から数字専用キーと演算子キーのセットであるテンキー（数字キー群）装置が搭載されておらず、これらで数字入力作業を行う場合、文字キー群上部にある、数字／記号キーを使用せざるを得ないため、困難、かつ不便であるという問題があった。【解決手段】  タッチパネルを搭載した携帯電話や音楽プレーヤーなどのデバイスを、パソコンと無線、もしくは有線で接続させ、数字、演算子、記号などを表記したキー画像ボタンの集合としてテンキー装置に似せた画像をタッチパネルデバイス上に表示させ、各キー画像ボタンを押す、触る等の操作をした時に、各キー画像に表記された数字などが、実際のテンキー装置を操作した時と同じキー入力情報として、接続したパソコンに送信されるソフトウェアによって、同デバイスを接続したパソコンのテンキー装置とした。【選択図】図１
2010079862.tif 000002
【特許請求の範囲】
【請求項１】
タッチパネルを搭載した携帯電話や音楽プレーヤーなどのデバイスを、パソコンと無線、もしくは有線で接続させ、接続したパソコンのキーボードのテンキー装置として操作可能にするソフトウェアによって、同デバイスを接続したパソコンのテンキー装置とする、タッチパネルを搭載した携帯電話や音楽プレーヤーなどのデバイスの使用方法。
【請求項２】
タッチパネルを搭載した携帯電話や音楽プレーヤーなどのデバイスを、パソコンと無線、もしくは有線で接続させ、数字、演算子、記号などを表記したキー画像ボタンの集合としてテンキー装置に似せた画像をタッチパネルデバイス上に表示させ、各キー画像ボタンを押す、触る等の操作をした時に、各キー画像に表記された数字などが、実際のテンキー装置を操作した時と同じキー入力情報として、接続したパソコンに送信される、タッチパネルを搭載した携帯電話や音楽プレーヤーなどのデバイス用のソフトウェア。
【発明の詳細な説明】
【技術分野】
【０００１】  本発明は、タッチパネルを搭載した携帯電話や音楽プレーヤーなどのデバイス用のソフトウェアと、デバイスの使用方法に関する。
【背景技術】
【０００２】  従来、一般的なノートパソコンや、一部のパソコン入力用のキーボード装置などでは、数字専用キー群と演算子キー群のセットであるテンキー装置が搭載されていない。このためこれらを使用するユーザーが数字入力を行う場合、文字キーボード群上部に水平方向に直列に配置された数字・記号キーを使用するため、テンキー装置での入力に比べて不便、かつ時間がかかるなどの問題があった。このため、テンキー装置が搭載されていないノートパソコンなどで、数字入力を頻繁におこなうユーザーは、別途、テンキー装置を用意するなどしていた。これら背景と同時に、圧力感知式や静電気方式などのタッチパネルを搭載した携帯電話や音楽プレーヤーなどのデバイスが登場し、これらの多くは、ユーザーが後からその画面で操作できるソフトウェアをインストールする事ができるようになっている。
【発明の開示】
【発明が解決しようとする課題】
【０００３】  本発明の課題は、テンキー装置がハードウェアとして搭載されていないノートパソコンや、テンキー装置が搭載されていない一部キーボード装置の使用時に、数字の入力を文字キー上部に横方向に直列に並んだ数字・記号キーなどを使用するため、数字の入力が不便であり、また、テンキー装置付きのキーボード装置を使用するときに比べ入力に時間がかかるなどの点である。
【課題を解決するための手段】
【０００４】  本発明は、タッチパネルを搭載した携帯電話や音楽プレーヤーなどのデバイス上にインストールし、動作するソフトウェアと、無線、もしくは有線で同デバイスと接続するパソコン、そして、接続に必要な場合は、無線ＬＡＮ親機などのネットワーク装置、もしくは、ＵＳＢ端子付きケーブルなどの有線接続装置などから構成される。【０００５】  また、必要な場合は、パソコン側で同デバイス上のソフトウェアから送信された情報を受け取り、キーボード装置の操作情報として処理するパソコン上で動作するソフトウェアが構成に追加される。【０００６】  タッチパネルを搭載した携帯電話や音楽プレーヤーなどのデバイス上にインストールしたソフトウェアを起動すると、パソコン側のソフトウェアによって、同デバイスから送信された情報を受け取り、キーボード装置の操作情報として処理するよう設定されたパソコンとの接続を開始する。【０００７】  次に、同デバイス上で起動されたソフトウェアは、それぞれ数字や記号や演算子などが表記されたキー画像の集合として、テンキー装置に似せた画像を、同デバイスのタッチパネル画面に表示する。【０００８】  同デバイス上で起動されたソフトウェアによって、表示された各キー画像はボタンとして認識され、同デバイスのタッチパネル入力方式により各キー画像を触る、もしくは押す操作をすると、操作したキー画像に表示された数字、記号、演算子などが、入力情報としてデバイスに認識される。【０００９】  各キー画像ボタンを押す事でデバイス上で認識された情報は、同デバイス上のソフトウェアによって、実際にテンキー装置を操作した時と同じ入力情報として接続しているパソコンに送信され、接続したパソコン上では、これを受信すると、キーボード装置の入力操作として認識される。
【発明の効果】
【００１０】  本発明によるソフトウェアをタッチパネルを搭載した携帯電話や音楽プレーヤーなどのデバイスにインストールし、有線もしくは無線で、必要な場合は本発明のソフトウェアの信号を受信するためのソフトウェアが起動されたパソコンに接続し、タッチパネル画面式デバイス上に表示された各キー画像を操作すると、接続したパソコン上に、実際にテンキー装置を操作した時と同様の入力をする事ができるため、  テンキー装置が無い時に比べて、数字や演算子の入力が、速く、かつ、ストレスが少なくなるという効果がある。【００１１】  また、本発明によるソフトウェアがインストールされたタッチパネルを搭載した携帯電話や音楽プレーヤーなどのデバイスを所持していた場合、テンキー機能を必要な時にだけ使用できる事になるので、ユーザーによっては、別途用意していたテンキー装置を設置する必要がなくなり、机の上のスペースを有効に利用する事ができるという効果がある。【００１２】  また、外出先で、テンキー装置がない状態で、ノートパソコンを使用しようとする場合でも、発明によるソフトウェアがインストールされたタッチパネルを搭載した携帯電話や音楽プレーヤーなどのデバイスがテンキー装置の代わりになるので、数字入力作業を円滑に行う事ができるという効果がある。
【発明を実施するための最良の形態】
【００１３】  以下、本発明を実施するための最良の形態を図面に基づいて説明する。図１は本発明の実施に必要な構成の例を説明するための図である。図２は、本発明の利用時の説明図である。
【実施例１】
【００１４】  本発明によるソフトウェアは、タッチパネルを搭載した携帯電話や音楽プレーヤーなどのデバイス１にインストールし、プログラムを起動すると、パソコン側のソフトウェアによって、同デバイスから送信された情報を受け取り、キーボード装置の操作情報として処理するよう設定されたノートパソコン５と、無線ＬＡＮ親機（アクセスポイント）８を含む、無線ＬＡＮネットワーク６を介し、接続を開始する。【００１５】  次に同デバイス１上で動作する本発明によるソフトウェアは、タッチパネル画面２に、キー画像ボタン３の集合をテンキー画像として表示し、ユーザーによる入力操作４が行われるまで待機する状態になる。【００１６】  タッチパネルを搭載したデバイス１上で動作する本発明のソフトウェアは、タッチパネル画面２の静電気方式、圧力感知方式などの入力方式によって、ユーザーによる各キー画像ボタン３を押す、または触るなどの入力操作４がされた場合、操作されたキー画像ボタン３に表示されているものと同じ数字、記号、演算子などを、実際のテンキー装置を操作した時と同様の入力情報として、接続したノートパソコン５へ、送信する。【００１７】  この時、ノートパソコン５上では、本発明によるソフトウェアによって、タッチパネルを搭載したデバイス１から送られた情報は、実際のテンキー装置の入力操作として処理され、その時点でパソコン上で入力待ちになっているフィールド７に、ユーザーがデバイス１上で操作したキー画像ボタン３に表示された数字や演算子や記号などが、入力される。【００１８】  例えば、図２においては、タッチパネルを搭載したデバイス１のタッチパネル画面２に表示されたキー画像ボタン３の内、「５」という数字が表示されたキー画像ボタン３にユーザーによる入力操作４がなされている。本発明によるソフトウェアは、これを受け、前述の処理を行い、結果、タッチパネルを搭載したデバイス１と接続された、ノートパソコン５のその時点でパソコン上で入力待ちになっているフィールド７に「５」という数字が入力される。【００１９】  同デバイス１上で動作する本発明によるソフトウェアは、ユーザーによる入力操作４を受け、その入力情報を送信すると、次のユーザーによる入力操作４を待機する状態となり、自身が終了されるまで、これを繰り返す。
【実施例２】
【００２０】  前述した構成において、タッチパネルを搭載したデバイス１とノートパソコン５の間の接続方法は、無線ＬＡＮネットワーク技術でなくとも、直接、間接を問わず、他に利用可能な、異なる周波数を利用する無線ネットワーク技術や、無線接続技術でも代替が可能である。
【実施例３】
【００２１】  前述した構成において、タッチパネルを搭載したデバイス１とノートパソコン５の間の接続方法は、無線ネットワーク技術を使用しても、パソコン側で設定が可能な場合、無線ＬＡＮ親機８（アクセスポイント）を省く事も可能である。
【実施例４】
【００２２】  前述した構成において、タッチパネルを搭載したデバイス１の接続先は、ノート型でなくとも、あらゆる形状のパソコンでも可能である。
【実施例５】
【００２３】  前述した構成において、タッチパネルを搭載したデバイス１とノートパソコン５の間の接続方法は、無線技術でなくとも、例えば、ＵＳＢ端子付きケーブルなどの、利用可能なあらゆるコンピュータ機器間の有線接続技術でも代替が可能である。
【実施例６】
【００２４】  例えば、タッチパネルを搭載したデバイス１とパソコンの接続をＵＳＢ端子付きケーブルなどで行う場合、タッチパネルを搭載したデバイス１から送信される入力情報を、本発明のソフトウェアにより、実際のテンキー装置とまったく同一のものにする事で、受信側のパソコンでは、本発明による入力情報を受信するためにユーザーがソフトウェアを追加する必要なくなる。
【実施例７】
【００２５】  前述した構成において、タッチパネルを搭載したデバイス１のタッチパネル画面２に表示された各キー画像ボタン３の形状、大きさ、意匠などは、自由であり、ユーザーの使いやすさを重視したものや、美観を重視したもの等、あらゆる種類のものでも代替が可能である。
【図面の簡単な説明】
【００２６】
【図１】本発明の実施に必要な構成の例の図である。
【図２】本発明のユーザーによる利用時の説明図である。
【符号の説明】
１  タッチパネルを搭載した携帯電話や音楽プレーヤーなどのデバイス
２  タッチパネル画面
３  キー画像ボタン
４  ユーザーによる入力操作
５  ノートパソコン
６  無線ＬＡＮネットワーク
７  パソコン上で入力待ちになっているフィールド
８  無線ＬＮ親機（アクセスポイント）
【図１】
2010079862.tif 000003
【図２】
2010079862.tif 000004